(57)【要約】【課題】  半導体メモリ装置のカラム選択線信号生成装置を提供することにある。【解決手段】  半導体メモリ装置のカラム選択線信号生成装置において、コマンドがライト命令に連続して印加される場合には第１動作モードを有し、前記コマンドが前記ライト命令に連続して印加されない場合には第２動作モードを有し、カラム選択線イネーブル信号によりカラム選択線信号がイネーブルされ、前記カラム選択線信号の動作区間は前記第１及び第２動作モードで互いに異なることを特徴とする。【選択図】  図２
2006172702.tif 000002
【特許請求の範囲】
【請求項１】
半導体メモリ装置のカラム選択線信号生成装置において、
コマンドがライト命令に連続して印加される場合には第１動作モードを有し、前記コマンドが前記ライト命令に連続して印加されない場合には第２動作モードを有し、カラム選択線イネーブル信号によりカラム選択線信号がイネーブルされ、前記カラム選択線信号の動作区間は前記第１及び第２動作モードで互いに異なることを特徴とするカラム選択線信号生成装置。
【請求項２】
前記カラム選択線イネーブル信号は動作クロックサイクルに応じて印加された前記コマンドにより生成された動作活性化信号に応じて生成されることを特徴とする請求項１に記載のカラム選択線信号生成装置。
【請求項３】
前記カラム選択線信号生成装置は、前記カラム選択線イネーブル信号が入力された場合に第１、第２区間制御信号に応じて互いに異なった動作区間を有するカラム選択線信号を生成するカラム選択線信号生成部と、
前記第１動作モードでは前記動作活性化信号に応じて前記第１区間制御信号を出力し、前記第２動作モードではカラム選択線ディスエーブル信号に応じて前記第１区間制御信号の遷移時点よりも遅い前記第２区間制御信号を出力する区間制御信号生成部と、を備えることを特徴とする請求項２に記載のカラム選択線信号生成装置。
【請求項４】
前記カラム選択線ディスエーブル信号は前記動作クロックサイクルの次の動作クロックサイクルの第２動作クロックサイクルにより活性化されることを特徴とする請求項３に記載のカラム選択線信号生成装置。
【請求項５】
前記コマンドは前記第１動作モードで前記第２動作クロックサイクルの次の動作クロックサイクルの第３動作クロックサイクルに応じて印加されることを特徴とする請求項４に記載のカラム選択線信号生成装置。
【請求項６】
前記コマンドは前記第２動作モードで前記第３動作クロックサイクル以後の第４動作クロックサイクルに応じて印加されることを特徴とする請求項５に記載のカラム選択線信号生成装置。
【請求項７】
半導体メモリ装置のカラム選択線信号生成装置において、コマンドがライト命令に連続して印加される場合には第１動作モードを有し、前記コマンドが前記ライト命令に連続して印加されない場合には第２動作モードを有し、前記コマンドにより生成されたカラム選択線イネーブル信号が入力される場合に第１，２区間制御信号に応じて前記第１，２動作モードで互いに異なったパルス区間を有するカラム選択線信号を生成するカラム選択線信号生成部と、
前記第１動作モードでは前記コマンドが印加される動作クロックサイクルの次の動作クロックサイクルの遷移時点と略一致するプリコマンドパルスに応じて前記第１区間制御信号を出力し、前記第２動作モードではディスエーブル信号に応じて前記第２区間制御信号を前記第１区間制御信号の遷移時点とは異にして出力する区間制御信号生成部と、を備えることを特徴とするカラム選択線信号生成装置。
【請求項８】
前記プリコマンドパルスは前記第１動作モードで前記ディスエーブル信号よりも先に形成されることを特徴とする請求項７に記載のカラム選択線信号生成装置。
【請求項９】
前記プリコマンドパルスは前記第２動作モードで前記ディスエーブル信号よりも遅く生成されることを特徴とする請求項８に記載のカラム選択線信号生成装置。
【請求項１０】
前記第１区間制御信号の遷移時点は前記第２区間遷移時点よりも早いことを特徴とする請求項７に記載のカラム選択線信号生成装置。
【請求項１１】
前記ディスエーブル信号は遅延セルにより前記プリコマンドパルスよりも遅く生成されることを特徴とする請求項８に記載のカラム選択線信号生成装置。
【請求項１２】
１つのアクセストランジスタとストレージキャパシタからなる単位メモリセルが行と列の交差点にマトリックス形態に連結されるメモリブロックを複数個だけ有するメモリセルアレイと、
前記メモリセルの行を選択するためのロー選択回路と、
コマンドがライト命令に連続して印加される場合には第１動作モードを有し、前記コマンドが前記ライト命令に連続して印加されない場合には第２動作モードを有し、カラム選択線イネーブル信号によりイネーブルされ、前記第１及び第２動作モードで互いに異なった動作区間を有するカラム選択線信号により前記メモリセルの列を選択するためのカラム選択回路を有することを特徴とする半導体メモリ装置。
【請求項１３】
前記イネーブル信号は動作クロックサイクルに応じて印加される前記コマンドにより生成される動作活性化信号に応じて生成されることを特徴とする請求項１２に記載の半導体メモリ装置。
【請求項１４】
前記カラム選択線イネーブル信号が入力される場合に第１，２区間制御信号に応じて互いに異なった動作区間を有するカラム選択線信号を生成するカラム選択線信号生成部と、
前記第１動作モードでは前記動作活性化信号に応じて前記第１区間制御信号を出力し、前記第２動作モードではカラム選択線ディスエーブル信号に応じて前記第１区間制御信号の遷移時点よりも遅い前記第２区間制御信号を出力する区間制御信号生成部と、を備えることを特徴とする請求項１３に記載の半導体メモリ装置。
【請求項１５】
前記カラム選択線ディスエーブル信号は前記動作クロックサイクルの次の動作クロックサイクルの第２動作クロックサイクルにより活性化されることを特徴とする請求項１４に記載の半導体メモリ装置。
【請求項１６】
前記コマンドは前記第１動作モードで前記第２動作クロックサイクルの次の動作クロックサイクルの第３動作クロックサイクルに応じて印加されることを特徴とする請求項１５に記載の半導体メモリ装置。
【請求項１７】
前記コマンドは前記第２動作モードで前記第３動作クロックサイクル以後の第４動作クロックサイクルに応じて印加されることを特徴とする請求項１６に記載の半導体メモリ装置。
【請求項１８】
データアクセスのためにメモリセルと連結されるカラムラインを選択するためのカラム選択線信号を使用する半導体メモリ装置でのカラム線選択信号生成回路において、
前記データアクセスのためのコマンドが設定された連続ウィンド区間内でライト命令に連続して印加されるかどうかをチェックする連続判定部と、
前記連続判定部に動作的に連結され、前記連続するかどうかに従い互いに異なったパルス区間を有するカラム選択線信号を差別的に生成する信号生成部と、を備えることを特徴とするカラム線選択信号生成回路。
【請求項１９】
前記連続ウィンド区間は前記コマンドが応ずる動作クロックサイクルから前記動作クロックサイクルよりも２サイクル以前の動作クロックサイクルに応じてライト命令が入力される区間であることを特徴とする請求項１８に記載のカラム選択線信号生成回路。
【請求項２０】
データアクセスのためにメモリセルと連結されるカラムラインを選択するカラム選択回路を備える半導体メモリ装置でのカラム選択線信号生成方法において、
前記データアクセスのためのコマンドが設定された連続ウィンド区間内でライト命令に連続して印加されるかどうかに従い、互いに異なったパルス区間を有するカラム選択線信号を差別的に生成することを特徴とするカラム選択線信号生成方法。
【請求項２１】
前記連続ウィンド区間は前記コマンドが応ずる動作クロックサイクルから前記動作クロックサイクルよりも２サイクル以前の動作クロックサイクルに応じてライト命令が入力される区間であることを特徴とする請求項２０に記載のカラム選択線信号生成方法。
【請求項２２】
前記コマンドはリード命令、ライト命令、及びロープリチャージ命令のうちいずれ１つであることを特徴とする請求項１に記載のカラム選択線信号生成装置。
【請求項２３】
前記カラム選択線信号のディスエーブルは前記第１動作モードでは前記コマンドにより生成される動作活性化信号により制御され、前記第２動作モードではカラム選択線ディスエーブル信号により制御されることを特徴とする請求項１に記載のカラム選択線信号生成装置。
【発明の詳細な説明】
【技術分野】
【０００１】
本発明は、半導体メモリ装置に係るもので、詳しくは、半導体メモリ装置のカラム選択線信号生成装置に関する。
【背景技術】
【０００２】
半導体メモリ装置の動作特性を表す要素の中にｔＲＤＬというアクティブ・コマンドパラメーターがある。ｔＲＤＬは時間的な面からみたときにカラム選択線信号（ＣＳＬ）のサイクル数と密接に関連する。即ち、カラム選択線信号の以前のいくつかのサイクルの間に継続的にデータをライトする途中で、進行しているライト動作がロープリチャージ命令によりインターラプトされたとき、最後のデータが完全にライトされ、且つロープリチャージ命令が入力されるためには最低でもｔＲＤＬ区間が存在すべきであることを示す。
【０００３】
図６はｔＲＤＬを説明するためのタイミング図である。
【０００４】
図６を参照すると、ｔＲＤＬはライト命令によりデータＤｂ０，Ｄｂ１，Ｄｂ２，Ｄｂ３のうち最後のデータＤｂ３がビットラインに印加されてからロープリチャージ命令ＲＰＣが印加される時点までの時間である。
【０００５】
図７は従来の半導体メモリ装置でのカラム選択経路を示すブロック図である。
【０００６】
図７を参照すると、コマンドバッファ２２、カラム選択線イネーブル部２４、カラム選択線ディスエーブル部２５、カラム選択線ドライバ２６、ＰＤＴ発生器２７、ＩＯドライバ／ＭＵＸ２８、ビットラインセンスアンプ２９、及びメモリセルＭＣが図示される。
【０００７】
コマンドバッファ２２はコマンドＣＭＤが動作クロックＣＬＫに応ずるようにして動作活性化信号ＰＷＡＸまたはＰＣＡを出力する。
【０００８】
カラム選択線イネーブル部２４は動作活性化信号ＰＷＡＸまたはＰＣＡを受信してカラム選択線イネーブル信号ＰＣＳＬＥを出力する。
【０００９】
カラム選択線ディスエーブル部２５は動作活性化信号ＰＷＡＸまたはＰＣＡを受信した後、動作クロックサイクルの次の動作クロックサイクルに応じてカラム選択線ディスエーブル信号ＰＣＳＬＤを生成する。
【００１０】
カラム選択線ドライバ２６はカラム選択線イネーブル信号ＰＣＳＬＥ及びカラム選択線ディスエーブル信号ＰＣＳＬＤの制御を受けてカラム選択線信号ＣＳＬを出力する。
【００１１】
ＰＤＴ発生器２７はカラム選択線信号ＣＳＬを受信してＩＯドライバ／ＭＵＸ２８のイネーブル信号ＰＤＴを出力する。
【００１２】
ライトされるデータは、カラム選択線信号ＣＳＬがハイ状態にある場合にはトランジスタＴＲ１がオン状態となり、ＩＯドライバ／ＭＵＸ２８もＰＤＴ信号によりイネーブルされて、ビットラインセンスアンプ２９によりセンシングされビットラインＢＬ／ＢＬＢに印加される。そして、前記データは最終的にメモリセルＭＣにライトされる。
【００１３】
図８は図７のカラム選択線信号ＣＳＬが生成される過程を示すタイミング図である。
【００１４】
図８を参照すると、動作クロックＣＬＫ、コマンドＷＲ１，ＷＲ２，ＲＤ、動作活性化信号ＰＷＡＸ，ＰＣＡ、カラム選択線イネーブル信号ＰＣＳＬＥ、カラム選択線ディスエーブル信号ＰＣＳＬＤ、及びカラム選択線信号ＣＳＬが図示される。コマンドは図７でのＣＭＤであり、図８では具体的な動作のライトＷＲ１，ＷＲ２またはリードＲＤとして示す。
【００１５】
まず、ライト命令ＷＲ１が印加され、動作クロックＣＬＫでの動作クロックサイクルに応じてライト活性化信号ＰＷＡＸが生成される。
【００１６】
ライト活性化信号ＰＷＡＸに応じてカラム選択線イネーブル信号ＰＣＳＬＥが生成され、カラム選択線イネーブル信号ＰＣＳＬＥによりカラム選択線信号ＣＳＬが活性化される。
【００１７】
動作クロックサイクルよりも１動作クロックサイクル以後の第２動作クロックサイクルに応じてカラム選択線ディスエーブル信号ＰＣＳＬＤが生成され、カラム選択線ディスエーブル信号ＰＣＳＬＤによりカラム選択線信号ＣＳＬが非活性化される。
【００１８】
次いで、ライト命令ＷＲ２が印加された後、ライト命令ＷＲ１が応ずる動作クロックサイクルよりも２動作サイクル以後の第３動作クロックサイクルに応じてライト活性化信号ＰＷＡＸが生成されて、ライト命令ＷＲ１が印加された場合と同一な過程によりカラム選択線信号ＣＳＬが生成される。
【００１９】
第３動作クロックサイクル以後の動作クロックサイクルに応じてリード活性化信号ＰＣＡが生成される場合、リード活性化信号ＰＣＡに応じてカラム選択線イネーブル信号ＰＣＳＬＥが生成される。そして、カラム選択線イネーブル信号ＰＣＳＬＥに応じてカラム選択線信号ＣＳＬが活性化される。
【００２０】
第３動作クロックサイクル以後の動作クロックサイクルよりも１動作クロックサイクル以後の動作クロックサイクルに応じてカラム選択線ディスエーブル信号ＰＣＳＬＤが生成され、カラム選択線ディスエーブル信号ＰＣＳＬＤによりカラム選択線信号ＣＳＬは非活性化される。
【００２１】
リード活性化信号ＰＣＡの代わりにライト活性化信号ＰＷＡＸが生成される場合、即ち、リード命令ＲＤの代わりにライト命令が印加される場合にはカラム選択線イネーブル信号の生成がライト活性化信号ＰＷＡＸに応じて生成されることを除き、カラム選択線信号ＣＳＬは同一な過程により活性化され非活性化される。
【００２２】
上述のように、カラム選択線信号はカラム選択線イネーブル信号に応じて活性化され、カラム選択線イネーブル信号が生成される動作クロックサイクルよりも１動作クロックサイクル後の第２動作クロックサイクルに応じて生成されたカラム選択線ディスエーブル信号により非活性化される形態の単一動作モードだけを有する。
【発明の開示】
【発明が解決しようとする課題】
【００２３】
ところが、ライト命令以後にビットラインプリチャージが行われる場合において、メモリセルにライトされるデータ中で最後のデータがビットラインに印加された後、メモリセルに完全にライトされる以前にメモリセルのワードラインがディスエーブルされて、メモリセルに最後のデータが正しくライトされないとの問題点があった。これはビットラインセンスアンプの駆動能力がＩＯドライバのそれよりも劣るからである。従って、駆動能力が優秀なＩＯドライバによる駆動時間を一層増加させなければならない。
【００２４】
そこで、本発明の目的は、カラム選択線信号がコマンドの印加形態に従い互いに異なった形態の動作モードを有することができるカラム選択線信号生成装置及び方法を提供することにある。
【００２５】
本発明の他の目的は、従来のメモリセルに完全にライトされる以前にビットラインのプリチャージが行われることにより、メモリセルに最後のデータが正しくライトされないとの問題を改善することができるカラム選択線信号生成装置及び方法を提供することにある。
【００２６】
本発明のまた他の目的は、プリチャージ以前のライト動作整理時間ｔＲＤＬは速くすることにより、プリチャージ前のライト動作整理時間のマージンが広くなってメモリセルにライトされるデータの損失を減らし得るカラム選択線信号生成装置及び方法を提供することにある。
【００２７】
本発明のまた他の目的は、コマンドがライト命令に連続して印加される場合にカラム選択線信号の幅を広くして、ＩＯドライバの駆動時間を長くし、メモリセルにデータライトが速く行われるようにして、ロープリチャージ時点を速くすることができるカラム選択線信号生成装置及び方法を提供することにある。
【００２８】
本発明のまた他の目的は、ロープリチャージ時点を速くすることにより、高速動作を可能にするカラム選択回路を備えた半導体メモリ装置を提供することにある。
【課題を解決するための手段】
【００２９】
このような目的を達成するために本発明の好適な一実施形態による半導体メモリ装置のカラム選択線信号生成装置は、コマンドがライト命令に連続して印加される場合には第１動作モードを有し、前記コマンドが前記ライト命令に連続して印加されない場合には第２動作モードを有し、イネーブル信号が入力された場合には第１，２区間制御信号に応じて前記第１，２動作モードで互いに異なったパルス区間を有するカラム選択線信号を生成するカラム選択線信号生成部と、前記第１動作モードではコマンド活性化信号により前記第１区間制御信号を出力し、前記第２動作モードではカラム選択線ディスエーブル信号により前記第１区間制御信号の遷移時点とは異なった前記第２区間制御信号を出力する区間制御信号生成部と、を備えることを特徴とする。
【００３０】
ここで、前記イネーブル信号は動作クロックサイクルに応じて印加された前記コマンドにより生成された動作活性化信号に応じて生成されることができる。
【００３１】
また、前記第１区間制御信号の遷移時点は前記第２区間遷移時点よりも早いことが好ましい。
【００３２】
また、前記第１区間制御信号は前記コマンドに応じて遷移されることが好ましい。
【００３３】
また、前記第２区間制御信号は前記動作クロックサイクルの次の動作クロックサイクルの第２動作クロックサイクルにより生成されたディスエーブル信号に応じて遷移されることが好ましい。
【００３４】
また、前記コマンドは前記第１動作モードで前記第２動作クロックサイクルの次の動作クロックサイクルの第３動作クロックサイクルに応じて印加されることが好ましい。
【００３５】
また、前記コマンドは前記第２動作モードで前記第３動作クロックサイクル後の第４動作クロックサイクルに応じて印加されることが好ましい。
【００３６】
本発明の好適な他の実施形態による半導体メモリ装置のカラム選択線信号生成装置は、コマンドがライト命令に連続して印加される場合には第１動作モードを有し、前記コマンドが前記ライト命令に連続して印加されない場合には第２動作モードを有し、前記コマンドにより生成されるイネーブル信号が入力された場合に第１，２区間制御信号に応じて前記第１，２動作モードで互いに異なったパルス区間を有するカラム選択線信号を生成するカラム選択線信号生成部と、前記第１動作モードでは前記コマンドが印加される動作クロックサイクルの次の動作クロックサイクルと遷移時点が略一致するプリコマンドパルスに応じて前記第１区間制御信号を出力し、前記第２動作モードではディスエーブル信号に応じて前記第２区間制御信号を前記第１区間制御信号の遷移時点とは異なるように出力する区間制御信号生成部と、を備える。
【００３７】
ここで、前記プリコマンドパルスは前記第１動作モードで前記ディスエーブル信号に先立って生成されることが好ましい。
【００３８】
また、前記プリコマンドパルスは前記第２動作モードで前記ディスエーブル信号よりも遅く生成されることが好ましい。
【００３９】
また、前記第１区間制御信号の遷移時点は前記第２区間遷移時点よりも早いことが好ましい。
【００４０】
本発明の好適な更に他の実施形態による半導体メモリ装置は、一つのアクセストランジスタとストレージキャパシタからなる単位メモリセルが行と列の交差点にマトリックス形態に連結されたメモリブロックを複数として有するメモリセルアレイと、前記メモリセルの行を選択するためのロー選択回路と、コマンドがライト命令に連続して印加される場合には第１動作モードを有し、前記コマンドが前記ライト命令に連続して印加されない場合には第２動作モードを有し、イネーブル信号が入力される場合には第１，２区間制御信号に応じて前記第１，２動作モードで互いに異なったパルス区間を有するカラム選択線信号を生成するカラム選択線信号生成部と、前記第１動作モードでは前記第１区間制御信号を出力し、前記第２動作モードでは前記第１区間制御信号の遷移時点とは異なった前記第２区間制御信号を出力する区間制御信号生成部と、を備えて、前記メモリセルの列を選択するためのカラム選択回路を有することを特徴とする。
【００４１】
ここで、前記区間制御信号生成部は、前記第１動作モードではコマンド活性化信号により第１区間制御信号を出力し、第２動作モードではカラム選択線ディスエーブル信号により第２区間制御信号を出力することが好ましい。
【００４２】
本発明の好適な更に他の実施形態に従い、データアクセスのためにメモリセルと連結されるカラムラインを選択するためにカラム選択線信号を用いる半導体メモリ装置でのカラム線選択信号生成回路は、前記データアクセスのためのコマンドが設定された連続ウィンド区間内でライト命令に連続して印加されるかどうかをチェックする連続判定部と、前記連続判定部に動作的に連結され、連続されるかどうかに従い互いに異なったパルス区間を有するカラム選択線信号を差別的に生成する信号生成部と、を備えることを特徴とする。
【００４３】
ここで、前記連続ウィンド区間は前記コマンドが応答する動作クロックサイクルから、該動作クロックサイクルよりも２サイクル以前の動作クロックサイクルに応じてライト命令が入力される区間であることが好ましい。
【００４４】
このような目的を達成するために本発明の好適な更に他の実施形態により、データアクセスのためにメモリセルと連結されるカラムラインを選択するカラム選択回路を備えた半導体メモリ装置でのカラム選択線信号生成方法は、前記データアクセスのためのコマンドが設定された連続ウィンド区間内でライト命令に連続して印加されるかどうかに従い、互いに異なったパルス区間を有するカラム選択線信号を差別的に生成することを特徴とする。
【発明の効果】
【００４５】
本発明は、改善されたカラム選択線信号生成装置を提供することにより、カラム選択線信号がコマンドの印加形態に従い互いに異なった形態の動作モードを有するという効果がある。
【００４６】
また、本発明は、カラム選択線信号生成装置は改善されたカラム選択線信号発生装置を提供することにより、最後のデータがメモリセルにライトされる前に前記ビットラインのプリチャージが行われる問題を減少させて前記メモリセルに最後のデータまで損傷されずにライトされることができるとの効果がある。
【００４７】
また、本発明は、改善されたカラム選択信号生成装置を提供することにより、プリチャージ前のライト動作整理時間ｔＲＤＬを速く持ってくるようにし、前記プリチャージ前ライト動作整理時間のマージンが広くなってメモリセルにライトされるデータの損失を減らし得るとの効果がある。
【００４８】
また、本発明は、改善されたカラム選択信号生成装置を提供して、コマンドがライト命令に連続して印加される場合にカラム選択線信号の幅を広くし且つメモリセルにデータライトが速く行われるすることにより、ロープリチャージ時点を速くし、半導体メモリ装置の高速動作を可能にするとの効果がある。
【発明を実施するための最良の形態】
【００４９】
以下、本発明の好ましい実施形態を添付図を用いて詳しく説明する。多様な実施形態での説明は当業者に本発明の徹底した理解を助けるための意図のほか、別の意図なしに例示的に図示され限定されたものにすぎないため、本発明の範囲を制限するものとして使用されてはならない。
【００５０】
図１は本発明の好適な一実施形態による半導体メモリ装置でのカラム選択経路を概略的に示すブロック図である。
【００５１】
図１を参照すると、コマンドバッファ１２２、カラム選択線イネーブル部１２４、カラム選択線ディスエーブル部１２５、ＰＤＴ発生器１２７、ＩＯドライバ／ＭＵＸ１２８、ビットラインセンスアンプ１２９、メモリセルＭＣ、及びカラム選択線信号生成装置２０１が図示される。カラム選択信号生成装置２０１は遅延セル１３０及び可変カラム選択線ドライバ２００を含む。
【００５２】
コマンドバッファ１２２はコマンドＣＭＤを受信し、動作クロックＣＬＫに応じて動作活性化信号ＰＷＡＸ，ＰＣＡを出力する。
【００５３】
カラム選択線イネーブル部１２４は動作活性化信号ＰＷＡＸ，ＰＣＡを受信してカラム選択線イネーブル信号ＰＣＳＬＥを生成する。即ち、カラム選択線イネーブル部１２４は動作活性化信号ＰＷＡＸ，ＰＣＡに応じてカラム選択線イネーブル信号ＰＣＳＬＥを生成する。
【００５４】
カラム選択線ディスエーブル部１２５は動作活性化信号ＰＷＡＸ，ＰＣＡを受信し、動作クロックサイクルの次の動作クロックサイクルに応じてカラム選択線ディスエーブル信号ＰＣＳＬＤを生成する。即ち、カラム選択線ディスエーブル部１２５は動作クロックサイクルの次の動作クロックサイクルの第２動作クロックサイクルに応じてカラム選択線ディスエーブル信号ＰＣＳＬＤを生成する。
【００５５】
カラム選択線信号生成装置２０１における可変カラム選択線ドライバ２００は、カラム選択線イネーブル信号ＰＣＳＬＥが入力される場合、第１，２区間制御信号に応じて第１，２動作モードで互いに異なったパルス区間を有するカラム選択線信号ＣＳＬを生成する。即ち、カラム選択線信号装置により、コマンドＣＭＤがライト命令に連続して印加される場合には第１動作モードを有し、コマンドＣＭＤがライト命令に連続して印加されない場合には第２動作モードを有するカラム選択線信号ＣＳＬを生成する。詳しくは、第１区間制御信号は動作活性化信号（ライトの場合にＰＷＡＸ１）に応じて遷移され、第１区間制御信号はカラム選択線ディスエーブル信号ＰＣＳＬＤにより遷移される。ここで、カラム選択線信号の活性化は第１，２動作モードの全てにおいて動作活性化信号ＰＷＡＸ１に応じて活性化されたカラム選択線イネーブル信号ＰＣＳＬＥによりなされる。第２動作モードにおいてライト命令後にリード命令が入力された場合、動作活性化信号ＰＣＡ１に応じて活性化されたカラム選択線イネーブル信号ＰＣＳＬＥによりカラム選択線信号ＣＳＬが活性化される。
【００５６】
カラム選択線信号生成装置２０１における遅延セル１３０は、第２区間制御信号を生成するためにカラム選択線ディスエーブル信号ＰＣＳＬＤを遅延させる。遅延セル（ＤＣ）１３０としては、通常使用される遅延回路（例えば、１つ或いはそれ以上のインバーター回路）を使用することができる。
【００５７】
ＰＤＴ発生器１２７はカラム選択線信号ＣＳＬを受信してＩＯドライバ／ＭＵＸ１２８のイネーブル信号であるＰＤＴ信号を出力する。
【００５８】
ライトされるデータは、カラム選択線信号がハイ状態にある場合にはトランジスタＴＲ１０がオン状態となり、ＩＯドライバ／ＭＵＸ１２８もＰＤＴ信号によりイネーブルされて、データはビットラインＢＬ／ＢＬＢに印加される。そして、データは最終的にメモリセルＭＣにライトされる。
【００５９】
図２は図１のカラム選択線信号生成装置の等価回路図である。
【００６０】
図２を参照すると、カラム選択線信号生成部２１０及び区間制御信号生成部２２０が図示される。
【００６１】
カラム選択線信号生成部２１０は、コマンドがライト命令に連続して印加される場合には第１動作モードを有し、コマンドがライト命令に連続して印加されない場合には第２動作モードを有するカラム選択線信号を生成する。そして、カラム選択線信号ＣＳＬはイネーブル信号であるカラム選択線イネーブル信号ＰＣＳＬＥが入力された場合に第１，２区間制御信号に応じて第１，２動作モードで互いに異なったパルス区間を有する。
【００６２】
区間制御信号生成部２２０は第１動作モードでは動作活性化信号ＰＷＡＸ１に応じて第１区間制御信号を出力し、第２動作モードではカラム選択線ディスエーブル信号ＰＣＳＬＤに応じて第１区間制御信号の遷移時点とは異なった第２区間制御信号を出力する。
【００６３】
データアクセスのためにコマンドＣＭＤが設定された連続ウィンド区間内でライト命令ＷＲ１，ＷＲ２に連続的に印加されるかどうかをチェックする連続判定部は、動作活性化信号ＰＷＡＸ，ＰＣＡがカラム選択線ディスエーブル信号ＰＣＳＬＤに先立って印加されるかどうかを判断する部分である。即ち、連続判定部は区間制御信号生成部２２０としてみることができる。そして、連続判定部に動作的に連結され、連続されるかどうかに従い互いに異なったパルス区間を有するカラム選択線信号を差別的に生成する信号生成部はカラム選択線信号生成部２１０としてみることができる。つまり、連続ウィンド区間はコマンドＣＭＤが応答する動作クロックサイクルよりも２サイクル以前の動作クロックサイクルに応じてライト命令が入力される区間になる。
【００６４】
以下、カラム選択線信号生成部２１０及び区間制御信号生成部２２０によりカラム選択線信号ＣＳＬが生成される過程を説明する。
【００６５】
まず、カラム選択線イネーブル信号ＰＣＳＬＥがＡＮＤゲートＡＮＤ１にハイ状態として入力されると、ＮＯＲゲートＮＯＲ２の入力ＩＮＰＵＴ１はハイ状態になり、インバーターＩＮＶ２を経て最終的に出力されるカラム選択線信号ＣＳＬはＮＯＲゲートＮＯＲ２の他の入力ＩＮＰＵＴ２の論理状態にかかわらずにハイ状態になる。即ち、カラム選択線イネーブル信号ＰＣＳＬＥに応じてカラム選択線信号ＣＳＬが活性化される。
【００６６】
次いで、カラム選択線イネーブル信号ＰＣＳＬＥがロー状態で、区間制御信号生成部２２０のＮＯＲゲートＮＯＲ１にコマンドＣＭＤにより生成されたリード活性化信号ＰＣＡ及びライト活性化信号ＰＷＡＸのうちいずれ１つの信号、またはカラム選択線ディスエーブル信号ＰＣＳＬＤが遅延セル１３０を経由して入力されると、ＮＯＲゲートＮＯＲ１の出力信号はロー状態になる。そして、ロー状態の信号はインバーターＩＮＶ１により反転されてＮＯＲゲートＮＯＲ３に入力される。この場合、ＮＯＲゲートＮＯＲ３による出力信号はロー状態になる。そこで、カラム選択線信号生成部２１０のＮＯＲゲートＮＯＲ２に入力される２個の入力信号ＩＮＰＵＴ１，ＩＮＰＵＴ２は全てロー状態であるため、ＮＯＲゲートＮＯＲ２の出力信号はハイ状態になる。ＮＯＲゲートＮＯＲ２の出力信号はインバーターＩＮＶ２を経て反転されて、最終的なカラム選択線信号ＣＳＬはロー状態になる。即ち、カラム選択線信号ＣＳＬはカラム選択線イネーブル信号ＰＣＳＬＥにより活性化されて、コマンドＣＭＤにより生成されたリード活性化信号ＰＣＡ、ライト活性化信号ＰＷＡＸのうちいずれ１つの信号ＰＣＡ，ＰＷＡＸ及びカラム選択線ディスエーブル信号ＰＣＳＬＤのうち早い信号に応じて非活性化される。ここで、遅延されたカラム選択線ディスエーブル信号（図１のＰＣＳＬＤ＿Ｄ）により遷移される場合には入力信号ＩＮＰＵＴ２が第２区間制御信号を有する状態であり、リード活性化信号ＰＣＡまたはライト活性化信号ＰＷＡＸにより遷移される場合には入力信号ＩＮＰＵＴ２が第１区間制御信号を有する状態である。
【００６７】
図３は図２のカラム選択線信号生成装置の動作を説明するための動作タイミング図である。
【００６８】
図３を参照すると、動作クロックＣＬＫ、動作活性化信号のライト活性化信号ＰＷＡＸ及びリード活性化信号ＰＣＡ、カラム選択線イネーブル信号ＰＣＳＬＥ、カラム選択線ディスエーブル信号ＰＣＳＬＤ及びカラム選択線信号ＣＳＬ、第１動作モードＭ１及び第２動作モードＭ２が図示される。コマンドＣＭＤは具体的な動作命令のライト命令ＷＲ１，ＷＲ２及びリード命令ＲＤで示す。
【００６９】
メモリセルにデータがライトされるためにはライト命令ＷＲ１が印加され、動作クロックＣＬＫでの動作クロックサイクル１ＴＣＫに応じてライト活性化信号ＰＷＡＸが生成される。
【００７０】
ライト活性化信号ＰＷＡＸに応じてカラム選択線イネーブル信号ＰＣＳＬＥが生成され、カラム選択線イネーブル信号ＰＣＳＬＥによりカラム選択線信号ＣＳＬが活性化される。カラム選択線イネーブル信号ＰＣＳＬＥに応じてカラム選択線信号ＣＳＬが活性されることは第１動作モードＭ１と第２動作モードＭ２において同一である。
【００７１】
そして、動作クロックサイクルよりも１動作クロックサイクル以後の第２動作クロックサイクルに応じてクロック選択線ディスエーブル信号ＰＣＳＬＤが生成される。
【００７２】
まず、コマンドＣＭＤがライト命令ＷＲ１に連続して印加される場合に第１動作モードＭ１は、ライト命令ＷＲ１が応ずる動作クロックサイクル１ＴＣＫより２動作クロックサイクル以後の第３動作クロックサイクル３ＴＣＫに応じてライト活性化信号ＰＷＡＸが生成されるモードである。即ち、第１動作モードＭ１はライト命令ＷＲ２が印加され、第３動作クロックサイクル３ＴＣＫに応じてライト活性化信号ＰＷＡＸが生成される場合、ライト活性化信号ＰＷＡＸに応じてカラム選択線信号が遷移されるモードである。第１区間制御信号はライト活性化信号ＰＷＡＸにより生成された信号（図２のＩＮＰＵＴ２）であり、カラム選択線信号ＣＳＬの第１動作モードのパルス区間を決定する。
【００７３】
第３動作クロックサイクル３ＴＣＫはライト命令ＷＲ２が応ずる動作クロックサイクルであるため、続くリード命令ＲＤとの関係では第１動作クロックサイクル１ＴＣＫと同一視することができる。即ち、第２動作モードＭ２では第１動作クロックサイクル１ＴＣＫとして見ることができる。図３で第２動作モードＭ２と関係する動作クロックサイクル１ＴＣＫ，２ＴＣＫ，３ＴＣＫ，４ＴＣＫはそのような意味で用いた。
【００７４】
次いで、コマンドＣＭＤがライト命令ＷＲ２に連続して印加されない場合の第２動作モードＭ２は第３動作クロックサイクル以後の第４動作クロックサイクルに応じてコマンドＣＭＤ（図３のＲＤ）が印加されるモードである。即ち、第２動作モードはライト命令ＷＲ２が印加された後、ライト命令ＷＲ２が応ずる動作クロックサイクルの次の動作クロックサイクル２ＴＣＫに応じて生成されたディスエーブル信号のカラム選択線ディスエーブル信号ＰＣＳＬＤにより遷移されるモードである。ここで、第２区間制御信号はカラム選択線ディスエーブル信号ＰＣＳＬＤにより生成された信号であって、カラム選択線信号ＣＳＬの第２動作モードＭ２のパルス区間を決定する。カラム選択線ディスエーブル信号ＰＣＳＬＤは追加的な遅延回路を含んでもよい。
【００７５】
図４は本発明の好適な他の実施形態によるカラム選択線信号生成装置の動作を説明するための動作タイミング図である。
【００７６】
図４を参照すると、カラム選択線信号生成装置はプリコマンドパルスＰＷＡＸ＿Ｐｒｅ，ＰＣＡ＿Ｐｒｅに応じて第１区間制御信号を出力し、カラム選択線ディスエーブル信号に応じて第２区間制御信号を出力する区間制御信号生成部を備える。即ち、カラム選択線信号生成装置でのカラム選択線信号生成部はコマンド（図１のＣＭＤ）がライト命令ＷＲ１に連続して印加される場合には第１動作モードＭ１を有し、コマンド（図１のＣＭＤ）がライト命令ＷＲ２に連続して印加されない場合には第２動作モードＭ２を有し、コマンド（図１のＣＭＤ）により生成されたイネーブル信号が入力される場合、第１，２区間制御信号に応じて第１，２動作モードＭ１，Ｍ２で互いに異なったパルス区間を有するカラム選択線信号を生成する。そして、カラム選択線信号生成装置での区間制御信号生成部は第１動作モードＭ１ではコマンドＣＭＤが印加される動作クロックサイクル１ＴＣＫの次の動作クロックサイクルの第２動作クロックサイクル２ＴＣＫと遷移時点が大抵一致するプリコマンドパルスＰＷＡＸ＿Ｐｒｅ，ＰＣＡ＿Ｐｒｅに応じて第１区間制御信号を出力し、第２動作モードＭ２ではディスエーブル信号に応じて第２区間制御信号を第１区間制御信号の遷移時点とは異にして出力する。ディスエーブル信号は第２動作クロックサイクル２ＴＣＫに応じて生成されるカラム選択線ディスエーブル信号ＰＣＳＬＤである。
【００７７】
第１動作モードＭ１でプリコマンドパルスＰＷＡＸ＿Ｐｒｅ，ＰＣＡ＿Ｐｒｅはカラム選択線ディスエーブル信号ＰＣＳＬＤよりも先に生成されることが好ましい。そこで、カラム選択線ディスエーブル信号ＰＣＳＬＤは遅延セルＤＣによりプリコマンドパルスＰＷＡＸ＿Ｐｒｅ，ＰＣＡ＿Ｐｒｅよりも遅く生成されることが好ましい。
【００７８】
第２動作モードＭ２でプリコマンドパルスＰＷＡＸ＿Ｐｒｅ，ＰＣＡ＿Ｐｒｅはカラム選択線ディスエーブル信号ＰＣＳＬＤよりも遅く生成されることが好ましい。これはカラム選択線信号ＣＳＬの遷移がプリコマンドパルスＰＷＡＸ＿Ｐｒｅ，ＰＣＡ＿Ｐｒｅとカラム選択線ディスエーブル信号のうち早い信号に応じて遷移されるからである。
【００７９】
そして、第２区間制御信号の遷移時点は第１区間遷移時点よりも一層遅くなるため、カラム選択線信号ＣＳＬのパルス幅は第２動作モードＭ２で一層広くなる。
【００８０】
本発明の好適な更に他の実施形態は一つのアクセストランジスタとストレージキャパシタからなる単位メモリセルが行と列の交差点にマトリックス形態に連結されたメモリブロックを複数個だけ有するメモリセルアレイと、メモリセルの行を選択するためのロー選択回路と、コマンドＣＭＤがライト命令ＷＲ１，ＷＲ２に連続して印加される場合には第１動作モードＭ１を有し、コマンドＣＭＤがライト命令ＷＲ１，ＷＲ２に連続して印加されない場合には第２動作モードＭ２を有し、イネーブル信号が入力される場合に第１，２区間制御信号に応じて第１，２動作モードＭ１，Ｍ２で互いに異なったパルス区間を有するカラム選択線信号を生成するカラム選択線信号生成部と、第１動作モードＭ１では第１区間制御信号を出力し、第２動作モードＭ２では第１区間制御信号の遷移時点とは異なった第２区間制御信号を出力する区間制御信号生成部と、を備えて、メモリセルの列を選択するためのカラム選択回路を有する半導体メモリ装置として具体化される。ここで、イネーブル信号は動作クロックサイクルに応じて印加されたコマンドＣＭＤにより生成される動作活性化信号ＰＷＡＸ，ＰＣＡに応じて生成されるカラム選択線イネーブル信号ＰＣＳＬＥである。そして、第１区間制御信号はコマンドに応じて遷移され、第２区間制御信号は動作クロックサイクルの次の動作クロックサイクルの第２動作クロックサイクルにより生成されたディスエーブル信号のカラム選択線ディスエーブル信号ＰＣＳＬＤに応じて遷移される。そして、コマンドは第１動作モードＭ１で第２動作クロックサイクルの次の動作クロックサイクルの第３動作クロックサイクルに応じて印加され、第２動作モードＭ２で第３動作クロックサイクル以後の第４動作クロックサイクルに応じて印加される。
【００８１】
本発明の好適な更に他の実施形態によるデータアクセスのためにメモリセルと連結されるカラムラインを選択するカラム選択回路を備えた半導体メモリ装置でのカラム選択線信号生成方法は、データアクセスのためのコマンドＣＭＤが設定された連続ウィンド区間内でライト命令に連続して印加されるかどうかに従い、互いに異なったパルス区間を有するカラム選択線信号を差別的に生成する。ここで、連続ウィンド区間はコマンドが応答する動作クロックサイクルから動作クロックサイクルよりも２サイクル以前の動作クロックサイクルに応じてライト命令が入力される区間である。
【００８２】
図５は図２によるカラム選択線信号生成装置により、従来よりも速くなったメモリセルへのデータライト時点を示す動作タイミング図である。
【００８３】
図５を参照すると、コマンド（例えばライトＷＲ）が印加されて動作クロックＣＬＫに応じてカラム選択線信号ＣＳＬが生成される。具体的な内部応答及び信号生成の関係は図３または図４での説明と同様なので省略する。
【００８４】
カラム選択線信号ＣＳＬによりＩＯドライバ／ＭＵＸのイネーブル信号のＰＤＴ信号が生成される。そして、コマンドが応答する動作クロックサイクルよりも１サイクル以後の動作クロックサイクルに応じてカラム選択線信号ＣＳＬが遷移される。カラム選択線信号ＣＳＬの遷移時点が図３及び図４に説明したように第１動作モード８０１と第２動作モード８０２で互いに異なる。その結果、ＩＯドライバ／ＭＵＸ経路が連結される時間が更に長くなる。従って、メモリセルに最後のデータがライトされる時点が第１動作モード時８０３と第２動作モード時８１３において異なる。即ち、第２動作モード時に最後データが更に速くライトされる。よって、最後データがメモリセルに完全にライトされた後にビットラインのプリチャージが行われることにより、データの損傷が減少する。
【００８５】
本発明の好適な実施形態による半導体メモリ装置のカラム選択線信号生成装置は上記の実施形態に限定されず、本発明の基本原理を逸脱しない範囲内で多様に設計され且つ応用されることは、当業者には自明な事実である。
【図面の簡単な説明】
【００８６】
【図１】本発明の好適な一実施形態による半導体メモリ装置でのカラム選択経路を概略的に示すブロック図である。
【図２】図１のカラム選択線信号装置の等価回路図である。
【図３】図２のカラム選択線信号生成装置の動作を説明するための動作タイミング図である。
【図４】本発明の好適な他の実施形態によるカラム選択線信号生成装置の動作を説明するための動作タイミング図である。
【図５】図２のカラム選択線信号生成装置により従来よりも速くなったメモリセルへのデータライト時点を示す動作タイミング図である。
【図６】ｔＲＤＬを説明するためのタイミング図である。
【図７】従来の半導体メモリ装置でのカラム選択経路を概略的に示すブロック図である。
【図８】図７のカラム選択線信号が生成される過程を示すタイミング図である。
【符号の説明】
【００８７】
１２２：コマンドバッファ
１２４：カラム選択線イネーブル部
１２５：カラム選択線ディスエーブル部
ＣＭＤ：コマンド
１２７：ＰＤＴ発生器
１２８：ＩＯドライバ／ＭＵＸ
１２９：ビットラインセンスアンプ
ＭＣ：メモリセル
２０１：カラム選択線信号生成装置
２００：可変カラム選択線ドライバ
１３０：遅延セル
ＤＣ：遅延セル
Ｍ１：第１動作モード
Ｍ２：第２動作モード
ＰＷＡＸ：ライト活性化信号
ＰＣＡ：リード活性化信号
ＰＷＡＸ＿Ｐｒｅ，ＰＣＡ＿Ｐｒｅ：プリコマンドパルス
【図１】
2006172702.tif 000003
【図２】
2006172702.tif 000004
【図３】
2006172702.tif 000005
【図４】
2006172702.tif 000006
【図５】
2006172702.tif 000007
【図６】
2006172702.tif 000008
【図７】
2006172702.tif 000009
【図８】
2006172702.tif 000010